(57)【特許請求の範囲】
【請求項１】
アンテナコイルによる通信動作とノブによるスイッチ動作が可能な無線機能付きスイッチ装置において、
前記ノブが組み付けられるボデーに前記アンテナコイルが巻回されるとともに、そのボデーは、前記アンテナコイルが接合されるインサートされたターミナルを有し、そのターミナルと、前記ボデーとは別部品に設けられたピンの双方を含んでコネクタ端子が構成される
ことを特徴とする無線機能付きスイッチ装置。
【請求項２】
請求項１に記載の無線機能付きスイッチ装置において、
前記コネクタ端子の周辺にコネクタハウジングを規定するカバーが前記ボデーとは別体で設けられる
ことを特徴とする無線機能付きスイッチ装置。
【請求項３】
前記別部品を前記ボデーと共に位置決めする位置決め手段が前記カバーに設定される
請求項２に記載の無線機能付きスイッチ装置。
【請求項４】
アンテナコイルによる通信動作とノブによるスイッチ動作が可能な無線機能付きスイッチ装置において、
前記ノブが組み付けられるボデーに前記アンテナコイルが巻回されるとともに、そのボデーは、前記アンテナコイルが接合されるインサートされたターミナルを有し、そのターミナルがコネクタ端子の一部を構成し、そのターミナルと前記ボデーの当該ターミナル周辺に規定されたハウジングの双方を含んでコネクタが構成される
ことを特徴とする無線機能付きスイッチ装置。
【請求項５】
前記ターミナルと共に前記コネクタ端子を構成するピンの設けられた別部品を前記ハウジング内で位置決めする位置決め手段が前記ボデーに設定される
請求項４に記載の無線機能付きスイッチ装置。
【発明の詳細な説明】
【技術分野】
【０００１】
本発明は、アンテナコイルによる通信動作とノブによるスイッチ動作が可能な無線機能付きスイッチ装置に関する。
【背景技術】
【０００２】
特許文献１には、車両用のエンジン始動システムに用いるスイッチ装置が開示されている。上記システムの適用された車両のユーザは、従来のメカニカルキーに代えて、電気的なキー照合を経て車両キーであると肯定判断された場合にエンジン始動等の車両制御が許容される電子キー（携帯機と称される）を所持する。上記キー照合に際し、携帯機は通常、自機に内蔵された電池から電力を賄いつつ、車両からのリクエスト信号に応答して自機に固有のＩＤ（identification）を送信し、車両は、携帯機から取得したＩＤが基準ＩＤと照合一致したことを条件に車両制御を許容する。したがって、ユーザは携帯機を所持しつつ、運転席近くに設置されたスイッチ装置のノブを操作することによってエンジンを始動可能となる。
【０００３】
ところで、携帯機に内蔵された電池に電池切れが生じると、リクエスト信号に応答して携帯機からＩＤを送信することができない。つまり、この場合、電池切れの携帯機を所持するだけではスイッチ装置のノブを操作したとしてもエンジンを始動できない。そこで、上記システムでは一般に、電池切れ等の事態に対応するため、スイッチ装置にアンテナコイルを設け、ノブの操作を契機にアンテナコイルから駆動電波を発信し、当該電波の及ぶエリアに携帯機を近づけると、上記駆動電波から電力を賄いつつ携帯機からＩＤを送信するといった対策がとられる。したがって、ユーザは携帯機をスイッチ装置に翳しつつ、そのスイッチ装置のノブを操作することによってエンジンを始動可能となる。尚、上記対策に好適なスイッチ装置、つまりアンテナコイルによる通信動作とノブによるスイッチ動作が可能なスイッチ装置が無線機能付きスイッチ装置と規定される。
【０００４】
図８に示すように、無線機能付きスイッチ装置５１は、図示しないケースを備え、そのケース内には、所要の部品が実装された基板５２が収容されている。実装部品には、ボビン５３にアンテナコイル５４が巻回されるとともに、そのボビン５３にターミナル５５が設けられたアンテナユニットが含まれる。上記ターミナル５５の一端側は、ボビン５３から突出され、その突出部分の先端付近にアンテナコイル５４の端部が巻き付けられて両者がかしめ加工等により接合されている。一方、ターミナル５５の他端側は、ボビン５３から突出され、その突出部分の先端が基板５２のホールに差し込まれて当該ホールを通過した部分が基板５２の上面で半田付けされている。
【０００５】
また、基板５２において、ターミナル５５が半田付けされた箇所とは別の箇所には、実装部品の一つであるコネクタ５６のターミナル５７が半田付けされている。コネクタ５６のターミナル５７は、基板５２の導電パターンを介して上記アンテナコイル５４のターミナル５５と電気的に接続されている。尚、コネクタ５６には、上記ターミナル５７とは別に、ノブ（図示略）の操作に伴うスイッチ信号等を外部装置に出力するための媒体となる他のターミナルが設けられている。これにより、無線機能付きスイッチ装置５１と外部装置との間で電気信号のやりとりが可能となり、通信動作やスイッチ動作が車両制御に反映される。
【先行技術文献】
【特許文献】
【０００６】
【特許文献１】特開２０１１−６０６２６号公報
【発明の概要】
【発明が解決しようとする課題】
【０００７】
アンテナコイル５４のターミナル５５を基板５２に半田付けし、基板５２を介してコネクタ５６のターミナル５７との間で電気的な接続を図る構成では、ターミナル５５を半田付けする工程が必要であり、また、基板５２にはターミナル５５を半田付けするスペースが必要となる。そうすると、無線機能付きスイッチ装置５１のコストアップやサイズアップを招く。
【０００８】
本発明は、このような問題点に着目してなされたものであって、その目的は、安価で小型化を図ることが可能な無線機能付きスイッチ装置を提供することにある。
【課題を解決するための手段】
【０００９】
上記課題を解決する無線機能付きスイッチ装置は、アンテナコイルによる通信動作とノブによるスイッチ動作が可能な無線機能付きスイッチ装置において、前記ノブが組み付けられるボデーに前記アンテナコイルが巻回されるとともに、そのボデーは、前記アンテナコイルが接合されるインサートされたターミナルを有し、そのターミナルと、前記ボデーとは別部品に設けられたピンの双方を含んでコネクタ端子が構成されることをその要旨としている。
【００１０】
この構成によれば、ボデーにインサートされたターミナルが、ボデーとは別部品に設けられたピンと共にコネクタ端子を構成する。そして、これには半田付けを伴わない。したがって、半田付けの廃止に伴い、安価で小型化を図ることができる。
【００１１】
上記無線機能付きスイッチ装置について、前記コネクタ端子の周辺にコネクタハウジングを規定するカバーが前記ボデーとは別体で設けられることとしてもよい。
この構成によれば、ボデーにインサートされたターミナルが、ボデーとは別部品に設けられたピンと共にコネクタ端子となり、ボデーとは別体のカバーに規定されたコネクタハウジングと共にコネクタが構成される。そして、これには半田付けを伴わない。したがって、半田付けの廃止に伴い、安価で小型化を図ることができる。
【００１２】
上記無線機能付きスイッチ装置について、前記別部品を前記ボデーと共に位置決めする位置決め手段が前記カバーに設定されることとしてもよい。
この構成によれば、コネクタの仕様に適合する別部品を選択し、その別部品の位置決めを行うことで、コネクタアライメントを満足することができる。
【００１３】
上記課題を解決する無線機能付きスイッチ装置は、アンテナコイルによる通信動作とノブによるスイッチ動作が可能な無線機能付きスイッチ装置において、前記ノブが組み付けられるボデーに前記アンテナコイルが巻回されるとともに、そのボデーは、前記アンテナコイルが接合されるインサートされたターミナルを有し、そのターミナルがコネクタ端子の一部を構成し、そのターミナルと前記ボデーの当該ターミナル周辺に規定されたハウジングの双方を含んでコネクタが構成されることをその要旨としている。
【００１４】
この構成によれば、ボデーにインサートされたターミナルがコネクタ端子の一部となり、ボデーに規定されたコネクタハウジングと共にコネクタが構成される。そして、これには半田付けを伴わない。したがって、半田付けの廃止に伴い、安価で小型化を図ることができる。
【００１５】
上記無線機能付きスイッチ装置について、前記ターミナルと共に前記コネクタ端子を構成するピンの設けられた別部品を前記ハウジング内で位置決めする位置決め手段が前記ボデーに設定されることとしてもよい。
【００１６】
この構成によれば、コネクタの仕様に適合する別部品を選択し、その別部品の位置決めを行うことで、コネクタアライメントを満足することができる。
【発明の効果】
【００１７】
本発明によれば、安価で小型化を図ることができる。
【図面の簡単な説明】
【００１８】
【図１】第１の実施の形態のプッシュスタートスイッチの構成を示す断面図。
【図２】第２の実施の形態のプッシュスタートスイッチの構成を示す分解斜視図。
【図３】ボビンを下側から見た斜視図。
【図４】基板を下側から見た斜視図。
【図５】カバーを下側から見た斜視図。
【図６】カバーを上側から見た斜視図。
【図７】プッシュスタートスイッチの要部断面図。
【図８】従来の無線機能付きスイッチ装置の構成を示す断面図。
【発明を実施するための形態】
【００１９】
（第１の実施の形態）
以下、無線機能付きスイッチ装置の第１の実施の形態について説明する。
図１に示すように、無線機能付きスイッチ装置の一例であるプッシュスタートスイッチ１は、ユーザによって押圧操作されるノブ２がボデー３に組み付けられ、ノブ２が露出された状態で運転席近くに設置される。尚、プッシュスタートスイッチ１が搭載される車両にはエンジン始動システムが適用され、ユーザは車両キーとして携帯機を所持する。
【００２０】
上記ボデー３において、ノブ２の周囲には、アンテナコイル４が巻回されるとともに、そのボデー３には、第１のコイルターミナル５と第２のコイルターミナル６の双方がインサートされている。ボデー３において、第１のコイルターミナル５と第２のコイルターミナル６の中間位置には、枠状のコネクタハウジング７が設定されている。
【００２１】
上記第１のコイルターミナル５の一端側は、コネクタハウジング７の紙面左側の枠外でボデー３から突出され、その突出部分の先端付近にアンテナコイル４の第１端部が巻き付けられて両者がかしめ加工等により接合されている。一方、第１のコイルターミナル５の他端側は、コネクタハウジング７の枠内でボデー３から突出され、その突出部分の先端がコネクタ端子８と規定される。
【００２２】
上記第２のコイルターミナル６の一端側は、コネクタハウジング７の紙面右側の枠外でボデー３から突出され、その突出部分の先端付近にアンテナコイル４の第２端部が巻き付けられて両者がかしめ加工等により接合されている。一方、第２のコイルターミナル６の他端側は、コネクタハウジング７の枠内でボデー３から突出され、その突出部分の先端が上記コネクタ端子８の紙面奥方においてコネクタ端子（図示略）と規定される。
【００２３】
ところで、上記ボデー３には、所要の部品が実装された基板９が組み付けられている。実装部品には、ノブ２の操作に連動して可動接点が接触する固定接点やノブの操作に連動して点灯する発光ダイオードの他、プッシュスタートスイッチ１と外部装置との間で電気信号のやりとりを可能にする接続媒体と規定されるピンヘッダー１０が含まれる。ピンヘッダー１０は、ケース１１を母体として、複数本のピン１２が整列状態で突出されている。
【００２４】
上記ボデー３において、コネクタハウジング７の枠内には、当該コネクタハウジング７の枠よりも一回り程度小さな位置決め孔１３が形成され、その位置決め孔１３によってピンヘッダー１０が位置決めされる。つまり、ピンヘッダー１０等の実装された基板９がボデー３に取り付けられる際、ピンヘッダー１０が位置決め孔１３に係入され、このとき、位置決め孔１３を規定するボデー３の壁にケース１１が当接される。これにより、ケース１１から突出された各ピン１２のそれぞれの先端部分がコネクタ端子として機能する。
【００２５】
その結果、コネクタハウジング７の枠内で複数本のコネクタ端子（コネクタ端子８やピン１２を含む）が整列状態で配置されたコネクタが構成される。そして、このコネクタに外部装置側の相手コネクタが接続されると、アンテナコイル４による通信動作やノブ２によるスイッチ動作が車両制御に反映される。
【００２６】
次に、プッシュスタートスイッチ１の作用について説明する。
アンテナコイル４の巻回されたボデー３にはコネクタハウジング７が形成され、そのボデー３にインサート成形された第１のコイルターミナル５及び第２のコイルターミナル６がコネクタ端子８等となっている。つまり、コネクタ要素のうち、コネクタ端子８等とコネクタハウジング７の双方が単一の部品（ボデー３）によって規定されている。これにより、コネクタに要求される寸法精度を満足しやすくなる。
【００２７】
また、ボデー３とは別部品のピンヘッダー１０がボデー３によって位置決めされている。これにより、ピンヘッダー１０をコネクタ要素とする場合にも、コネクタアライメントを満足しやすくなる。
【００２８】
以上説明したように、本実施の形態によれば、以下の効果を奏することができる。
（１）ボデー３にインサートされた第１のコイルターミナル５及び第２のコイルターミナル６がコネクタ端子８等となり、ボデー３に規定されたコネクタハウジング７と共にコネクタが構成される。そして、これには半田付けを伴わない。したがって、半田付けの廃止に伴い、安価で小型化を図ることができる。
【００２９】
（２）第１のコイルターミナル５及び第２のコイルターミナル６と共にコネクタ端子を構成するピン１２の設けられたピンヘッダー１０をコネクタハウジング７内で位置決めする位置決め孔１３がボデー３に設定されている。この構成によれば、コネクタの仕様（ピン配置等）に適合するピンヘッダー１０を選択し、そのピンヘッダー１０の位置決めを行うことで、コネクタアライメントを満足することができる。
【００３０】
尚、上記第１の実施の形態は、次のように変更して具体化することも可能である。
・プッシュスタートスイッチ１のような無線機能付きスイッチ装置に限らず、ノブ２によるスイッチ動作が可能なスイッチ装置の全般に本技術を適用してもよい。つまり、スイッチ装置において、ノブ２が組み付けられるボデー３にターミナル（第１のコイルターミナル５等）がインサートされ、そのターミナルとボデー３の当該ターミナル周辺に規定されたコネクタハウジング７の双方を含んでコネクタが構成されるものに本技術を適用してもよい。この場合、上記ターミナルには、アンテナコイル４に限らず、スイッチ部品が接合される。
【００３１】
この構成によれば、ボデー３にインサートされたターミナルがコネクタ端子となり、ボデー３に規定されたコネクタハウジング７と共にコネクタが構成される。そして、これには半田付けを伴わない。したがって、半田付けの廃止に伴い、スイッチ装置について、安価で小型化を図ることができる。
【００３２】
・上記スイッチ装置において、上記ターミナルと共にコネクタ端子を構成するピンの設けられた別部品（ピンヘッダー１０等）をコネクタハウジング７内で位置決めする位置決め手段（位置決め孔１３等）がボデー３に設定されることが望ましい。
【００３３】
この構成によれば、コネクタの仕様に適合する別部品を選択し、その別部品の位置決めを行うことで、コネクタアライメントを満足することができる。
・或いは、アンテナコイル４による通信動作が可能なアンテナ装置の全般に本技術を適用してもよい。つまり、アンテナ装置において、アンテナコイル４がボデー３に巻回されるとともに、そのボデー３には、アンテナコイル４が接合されるターミナル（第１のコイルターミナル５等）がインサートされる。そして、そのターミナルとボデー３の当該ターミナル周辺に規定されたコネクタハウジング７の双方を含んでコネクタが構成されるものに本技術を適用してもよい。この場合、ボデー３には、スイッチ動作の有無に応じてノブ２が選択的に組み付けられる。
【００３４】
この構成によれば、ボデー３にインサートされたターミナルがコネクタ端子となり、ボデー３に規定されたコネクタハウジング７と共にコネクタが構成される。そして、これには半田付けを伴わない。したがって、半田付けの廃止に伴い、アンテナ装置について、安価で小型化を図ることができる。
【００３５】
・上記アンテナ装置において、上記ターミナルと共にコネクタ端子を構成するピンの設けられた別部品（ピンヘッダー１０等）をコネクタハウジング７内で位置決めする位置決め手段（位置決め孔１３等）がボデー３に設定されることが望ましい。
【００３６】
この構成によれば、コネクタの仕様に適合する別部品を選択し、その別部品の位置決めを行うことで、コネクタアライメントを満足することができる。
・或いは、外部装置との接続が可能なコネクタ装置の全般に本技術を適用してもよい。つまり、外部装置との接続が可能なコネクタ装置において、ボデー３にターミナル（第１のコイルターミナル５等）がインサートされ、そのターミナルとボデー３の当該ターミナル周辺に規定されたコネクタハウジング７の双方を含んでコネクタが構成される。そして、上記ターミナルと共にコネクタ端子を構成するピンの設けられた別部品（ピンヘッダー１０等）をコネクタハウジング７内で位置決めする位置決め手段（位置決め孔１３等）がボデー３に設定されるものに本技術を適用してもよい。この場合、ボデー３には、通信動作の有無に応じてアンテナコイル４が選択的に巻回されるとともに、スイッチ動作の有無に応じてノブ２が選択的に組み付けられる。
【００３７】
この構成によれば、コネクタの仕様に適合する別部品を選択し、その別部品の位置決めを行うことで、コネクタアライメントを満足することができる。
次に、上記第１の実施の形態及び別例から把握できる技術的思想について記載する。
【００３８】
（イ）ノブによるスイッチ動作が可能なスイッチ装置において、前記ノブが組み付けられるボデーにターミナルがインサートされ、そのターミナルと前記ボデーの当該ターミナル周辺に規定されたハウジングの双方を含んでコネクタが構成されること。
【００３９】
この構成によれば、ボデーにインサートされたターミナルがコネクタ端子となり、ボデーに規定されたコネクタハウジングと共にコネクタが構成される。そして、これには半田付けを伴わない。したがって、半田付けの廃止に伴い、スイッチ装置について、安価で小型化を図ることができる。
【００４０】
（ロ）スイッチ装置において、前記ターミナルと共にコネクタ端子を構成するピンの設けられた別部品を前記ハウジング内で位置決めする位置決め手段が前記ボデーに設定されること。
【００４１】
この構成によれば、コネクタの仕様に適合する別部品を選択し、その別部品の位置決めを行うことで、コネクタアライメントを満足することができる。
（ハ）アンテナコイルによる通信動作が可能なアンテナ装置において、前記アンテナコイルがボデーに巻回されるとともに、そのボデーには、前記アンテナコイルが接合されるターミナルがインサートされ、そのターミナルと前記ボデーの当該ターミナル周辺に規定されたハウジングの双方を含んでコネクタが構成されること。
【００４２】
この構成によれば、ボデーにインサートされたターミナルがコネクタ端子となり、ボデーに規定されたコネクタハウジングと共にコネクタが構成される。そして、これには半田付けを伴わない。したがって、半田付けの廃止に伴い、アンテナ装置について、安価で小型化を図ることができる。
【００４３】
（ニ）アンテナ装置において、前記ターミナルと共にコネクタ端子を構成するピンの設けられた別部品を前記ハウジング内で位置決めする位置決め手段が前記ボデーに設定されること。
【００４４】
この構成によれば、コネクタの仕様に適合する別部品を選択し、その別部品の位置決めを行うことで、コネクタアライメントを満足することができる。
（ホ）外部装置との接続が可能なコネクタ装置において、ボデーにターミナルがインサートされ、そのターミナルと前記ボデーの当該ターミナル周辺に規定されたハウジングの双方を含んでコネクタが構成され、前記ターミナルと共にコネクタ端子を構成するピンの設けられた別部品を前記ハウジング内で位置決めする位置決め手段が前記ボデーに設定されること。
【００４５】
この構成によれば、コネクタの仕様に適合する別部品を選択し、その別部品の位置決めを行うことで、コネクタアライメントを満足することができる。
（第２の実施の形態）
次に、無線機能付きスイッチ装置の第２の実施の形態について説明する。
【００４６】
図２に示すように、本実施の形態のプッシュスタートスイッチ１Ａは、ボデー本体３Ａ及びボビン３Ｂの両者によってボデー３が構成され、このボデー３にノブ２が組み付けられる。ボビン３Ｂには、上記第１の実施の形態のアンテナコイル４と同様のアンテナコイル（図示略）が巻回される。ノブ２の周囲には、装飾品であるベゼル１５が設けられ、また、ノブ２には、基板９上の発光ダイオードの光を導く目的で、透光部材からなるレンズ１６がホルダ１７によって支持されつつ組み込まれている。さらに、ボデー３内には、ノブ２のスイッチ動作のうち可動接点の役目を果たすラバーコンタクト１８が組み込まれている。
【００４７】
概ね、各部品を組み付けるにあたり、まず基板９及びラバーコンタクト１８の両者が、ボビン３Ｂの側部開口を介して仮置きされる。一方、ボデー本体３Ａが、ホルダ１７及びレンズ１６及びノブ２の装着を伴って、ボビン３Ｂの上部開口を介して組み付けられる。そして、ボデー３とは別体のカバー１９が下側から被せられ、その過程でボビン３Ｂが、上記仮置き状態の基板９及びラバーコンタクト１８と共に位置決めされる。最後にベゼル１５がカバー１９に組み付けられる。
【００４８】
図３に示すように、ボビン３Ｂには、上記第１の実施の形態の第１のコイルターミナル５及び第２のコイルターミナル６と同様の第１のコイルターミナル５Ａ及び第２のコイルターミナル６Ａがインサートされている。上記第１の実施の形態と同様、第１のコイルターミナル５Ａの一端側には、アンテナコイルの第１端部が接合され、第１のコイルターミナル５Ａの他端側がコネクタ端子８Ａと規定される。同じく、第２のコイルターミナル６Ａの一端側には、アンテナコイルの第２端部が接合され、第２のコイルターミナル６Ａの他端側がコネクタ端子８Ｂと規定される。ボビン３Ｂの底部には、一対の位置決め孔２０が形成されている。
【００４９】
図４に併せ示すように、基板９の下面には、ピンヘッダー２１が実装されている。ピンヘッダー２１は、本体部２２を母体として、複数本のピン２３が整列状態で突出されている。各ピン２３は、それぞれの基端部分が基板９に固定（電気接続）され、それぞれの先端部分がコネクタ端子として機能する。各コネクタ端子（コネクタ端子８Ａ、コネクタ端子８Ｂ、各ピン２３）の高さ（基板９からの突出量）は揃えられている。ピンヘッダー２１の本体部２２には、ボビン３Ｂの位置決め孔２０に対応する一対の位置決め孔２４が形成されている。
【００５０】
図５に示すように、カバー１９には、各コネクタ端子（ピン２３等）の周辺に、枠状のコネクタハウジング２５が規定されている。ここに、コネクタハウジング２５の枠内で複数本のコネクタ端子（コネクタ端子８Ａ、コネクタ端子８Ｂ、各ピン２３）が整列状態で配置されたコネクタが構成される。そして、上記第１の実施の形態と同様、当該コネクタに外部装置側の相手コネクタが接続されると、アンテナコイルによる通信動作やノブ２によるスイッチ動作が車両制御に反映される。
【００５１】
図６に示すように、カバー１９の内底面には、ボビン３Ｂの位置決め孔２０及びピンヘッダー２１の位置決め孔２４の両者に対応する一対の位置決め突起２６が形成されている。
【００５２】
図７に示すように、ボビン３Ｂの下側からカバー１９が被せられる際、カバー１９の位置決め突起２６が、ボビン３Ｂの位置決め孔２０及び仮置き状態の基板９に実装されたピンヘッダー２１の位置決め孔２４に挿入される。これにより、ボビン３Ｂが、上記仮置き状態の基板９及びラバーコンタクト１８と共に位置決めされる。
【００５３】
以上説明したように、本実施の形態によれば、以下の効果を奏することができる。
（３）ボビン３Ｂにインサートされた第１のコイルターミナル５Ａ及び第２のコイルターミナル６Ａがピンヘッダー２１の各ピン２３と共にコネクタ端子を構成する。そして、これには半田付けを伴わない。したがって、半田付けの廃止に伴い、安価で小型化を図ることができる。
【００５４】
（４）ボビン３Ｂにインサートされた第１のコイルターミナル５Ａ及び第２のコイルターミナル６Ａがピンヘッダー２１の各ピン２３と共にコネクタ端子となり、ボデー３とは別体のカバー１９に規定されたコネクタハウジング２５と共にコネクタが構成される。そして、これには半田付けを伴わない。したがって、半田付けの廃止に伴い、安価で小型化を図ることができる。
【００５５】
（５）コネクタ端子を構成する各ピン２３の設けられたピンヘッダー２１をボビン３Ｂと共に位置決めする位置決め突起２６がカバー１９に設定されている。この構成によれば、コネクタの仕様（ピン配置等）に適合するピンヘッダー２１を選択し、そのピンヘッダー２１の位置決めを行うことで、コネクタアライメントを満足することができる。
【００５６】
（６）基板９をボビン３Ｂの側部開口から組み付ける方式を採用することにより、基板９の面積の拡大に伴い基板９をボビン３Ｂの上部開口から組み付けできない場合でも対応できる。つまり、基板９を横から組み付ける方式にすることにより、基板９の面積を拡大することが可能になる。
【００５７】
尚、上記第２の実施の形態は、次のように変更して具体化することも可能である。
・上記第１の実施の形態の別例と同様、スイッチ装置、アンテナ装置、コネクタ装置の全般に本技術を適用してもよい。
【符号の説明】
【００５８】
１…プッシュスタートスイッチ（無線機能付きスイッチ装置）、２…ノブ、３…ボデー、４…アンテナコイル、５…第１のコイルターミナル（ターミナル）、６…第２のコイルターミナル（ターミナル）、７…コネクタハウジング（ハウジング）、８…コネクタ端子、９…基板、１０…ピンヘッダー（別部品）、１１…ケース、１２…ピン、１３…位置決め孔（位置決め手段）。
【００５９】
１Ａ…プッシュスタートスイッチ（無線機能付きスイッチ装置）、２…ノブ、３…ボデー、３Ａ…ボデー本体、３Ｂ…ボビン、５Ａ…第１のコイルターミナル（ターミナル）、６Ａ…第２のコイルターミナル（ターミナル）、８Ａ…コネクタ端子、８Ｂ…コネクタ端子、９…基板、１５…ベゼル、１６…レンズ、１７…ホルダ、１８…ラバーコンタクト、１９…カバー、２０…位置決め孔、２１…ピンヘッダー（別部品）、２２…本体部、２３…ピン、２４…位置決め孔、２５…コネクタハウジング、２６…位置決め突起（位置決め手段）。
【図１】
0005866425.tif 000002
【図２】
0005866425.tif 000003
【図３】
0005866425.tif 000004
【図４】
0005866425.tif 000005
【図５】
0005866425.tif 000006
【図６】
0005866425.tif 000007
【図７】
0005866425.tif 000008
【図８】
0005866425.tif 000009